(57)【要約】【課題】水質がアルカリ化しない程度にｐＨの上昇を抑制しつつ、水素ガスを豊富に含んだ水を生成することのできる水素水生成器を提供する。【解決手段】水素水生成器２０は、水２２と反応して水素ガスを発生可能なマグネシウム粒２３を水２２と共に封入してなる容器２１を備え、容器２１が、水素ガスを内側から外側に向けて通過させると共に、水２２を内側から外側に浸透させない通気性不浸透性材料からなる。通気性不浸透性材料としては、（Ａ）ポリ塩化ビニリデン、（Ｂ）ポリ塩化ビニル、及び、（Ｃ）ポリアクリロニトリルからなる群から選択される少なくとも１種の熱可塑性樹脂を使用することができる。【選択図】図１
2015011846.tif 000002
【特許請求の範囲】
【請求項１】
水と反応して水素ガスを発生可能なマグネシウム粒を前記水と共に封入してなる容器を備え、
前記容器が、
前記水素ガスを内側から外側に向けて通過させると共に、前記水を内側から外側に浸透させない通気性不浸透性材料からなることを特徴とする水素生成器。
【請求項２】
前記通気性不浸透性材料が、
熱可塑性樹脂であることを特徴とする請求項１に記載の水素生成器。
【請求項３】
前記熱可塑性樹脂が、
（Ａ）ポリ塩化ビニリデン、（Ｂ）ポリ塩化ビニル、及び、（Ｃ）ポリアクリロニトリルからなる群から選択される少なくとも１種であることを特徴とする請求項２に記載の水素生成器。
【請求項４】
請求項１〜３のいずれか１項に記載の水素生成器を瓶本体の底部に連結させて全体として１つの瓶形状を形成し得る水素生成容器であって、
前記瓶本体の底部と前記水素発生器の上部との間には、前記通気性不浸透性材料が介挿入されており、前記水素発生器で発生した水素ガスは該通気性不浸透性材料を通過して前記瓶本体に進入可能である、水素生成容器。
【請求項５】
前記瓶本体の底部と水素生成器の上部とには、それぞれ互いにネジ結合可能なネジ山又はネジ溝を設けている、請求項４に記載の水素生成容器。
【請求項６】
請求項１〜３のいずれか１項に記載の水素生成器を適用した水素生成容器であって、
前記マグネシウム粒を前記水と共に注入可能な中空部と、前記中空部と外部とを連通する複数の窓と、を有する棒状のケース体を備え、
少なくとも、前記窓には、前記通気性不浸透性材料からなるフィルムがインサ−ト成形によって貼付されている、水素生成容器。
【請求項７】
前記ケース体が、
２つの蓋部材同士を重ね合わせることによって構成されるものであって、
前記蓋部材の少なくとも一方に、前記窓が形成されている、請求項６に記載の水素生成容器。
【請求項８】
前記ケース体が、
長手方向の一端部に形成され、前記中空部と連通し、前記中空部へ前記水を注入可能な注入部を有するものであって、
前記注入部を封止可能な封止部材を更に備える、請求項６又は７に記載の水素生成容器。
【請求項９】
前記中空部には、水が封入された水袋が予め収容されており、
前記封止部材が、
先端に突出した針状の突起であって、前記水袋を突き破ることによって、前記水袋内の水を前記中空部内に注入可能な針状突起を備える、請求項８に記載の水素生成容器。
【請求項１０】
前記容器には、ゲル状態となった保水剤が前記マグネシウム粒と共に封入されている、請求項１〜３のいずれか１項に記載の水素生成器。
【発明の詳細な説明】
【技術分野】
【０００１】
本発明は、水素ガスを豊富に含んだ水素水を生成可能な水素生成器、及び、この水素生成器を用いた水素生成容器に関する。
【背景技術】
【０００２】
従来、水素を多量に含む水が癌その他の各種の病気の原因とされる活性酸素の消去に有効であるという学説が近年医学界において発表され注目されている。このような水素を豊富に含む水を生成する水素水生成器としては、マグネシウム粒子と水との化学反応を利用したものが知られている。この種の水素水生成器は、飲料水用のボトルに投入可能であり内部に水が入るようにしたケースと、該ケースに内置され内部に飲料水と反応して水素ガスを発生するマグネシウム粒が充填された浸水性の袋体と、を備えている（例えば、特許文献１参照）。
【先行技術文献】
【特許文献】
【０００３】
【特許文献１】特開２００４−４１９４９号公報
【発明の概要】
【発明が解決しようとする課題】
【０００４】
ところが、上記特許文献１に開示された水素水生成器は、以下の化学式（１）によって、水素ガスを発生するものである。
Ｍｇ＋２Ｈ２Ｏ→Ｍｇ（ＯＨ）２＋Ｈ２・・・（１）【０００５】
そのため、水とマグネシウムとを反応させて、飲料水に水素ガスを含有させようとすればするほど、水素ガスを豊富に含んだ飲料水が生成されると同時に、水酸化マグネシウムを豊富に含んだ飲料水が出来上がってしまう。【０００６】
この結果、飲料水のｐＨ（水素イオン指数）が上昇し、飲料水の水質がアルカリ化してしまうという問題があった。【０００７】
そこで本発明の目的は、水質がアルカリ化しない程度にｐＨの上昇を抑制しつつ、水素ガスを豊富に含んだ水を生成することのできる水素生成器、及び、水素生成容器を提供することである。
【課題を解決するための手段】
【０００８】
（１）  本発明の水素水生成器は、水と反応して水素ガスを発生可能なマグネシウム粒を前記水と共に封入してなる容器を備え、前記容器が、前記水素ガスを内側から外側に向けて通過させると共に、前記水を内側から外側に浸透させない通気性不浸透性材料からなることを特徴とする。【０００９】
（２）  上記（１）の水素水生成器においては、前記通気性不浸透性材料が、熱可塑性樹脂であることが好ましい。【００１０】
（３）  上記（２）の水素水生成器においては、前記熱可塑性樹脂が、（Ａ）ポリ塩化ビニリデン、（Ｂ）ポリ塩化ビニル、及び、（Ｃ）ポリアクリロニトリルからなる群から選択される少なくとも１種であることが好ましい。【００１１】
（４）  また、本発明は上記水素生成器を瓶本体の底部に連結させて全体として１つの瓶形状を形成し得る水素生成容器も提供する。この水素水生成容器は、前記瓶本体の底部と前記水素発生器の上部との間には、前記通気性不浸透性材料が介挿入されており、前記水素発生器で発生した水素ガスは該通気性不浸透性材料を通過して前記瓶本体に進入可能である。【００１２】
この水素生成器は、一見すると全体として１つの瓶形状を構成しており、その瓶本体の底部に取り外し可能に上記（１）〜（３）の水素生成器が連結されている。瓶本体と水素生成器との間には前述した通気性不浸透性材料が介在しており、これを通して水素ガスが瓶本体に進入し、瓶本体内の溶液に水素ガスを含有させる。【００１３】
（５）  上記（４）の水素生成容器においては、前記瓶本体の底部と水素生成器の上部とには、それぞれ互いにネジ結合可能なネジ山又はネジ溝を設けることが好ましい。【００１４】
（６）  また、本発明は上記（１）〜（３）の水素生成器を適用した水素生成容器も提供する。この水素生成容器は、前記マグネシウム粒を前記水と共に注入可能な中空部と、前記中空部と外部とを連通する複数の窓と、を有する棒状のケース体を備え、少なくとも、前記窓には、前記通気性不浸透性材料からなるフィルムがインサ−ト成形によって貼付されている。【００１５】
（７）  上記（６）の水素生成容器においては、前記ケース体が、２つの蓋部材同士を重ね合わせることによって構成されるものであって、前記蓋部材の少なくとも一方に、前記窓が形成されていることが好ましい。【００１６】
（８）  上記（６）又は（７）の水素生成容器においては、前記ケース体が、長手方向の一端部に形成され、前記中空部と連通し、前記中空部へ前記水を注入可能な注入部を有するものであって、前記注入部を封止可能な封止部材を更に備えることが好ましい。【００１７】
（９）  上記（８）の水素生成容器においては、前記中空部には、水が封入された水袋が予め収容されており、前記封止部材が、先端に突出した針状の突起であって、前記水袋を突き破ることによって、前記水袋内の水を前記中空部内に注入可能な針状突起を備えることが好ましい。【００１８】
（１０）  更に、上記（１）〜（３）の水素水生成器においては、前記容器には、ゲル状態となった保水剤が前記マグネシウム粒と共に封入されていることが好ましい。
【発明の効果】
【００１９】
本発明の水素水生成器では、容器が通気性不浸透性材料を用いて構成されるので、水素水生成器をロータンク内やウォーターサーバーの貯留槽内に投入した状態で、水素ガスを容器の内側から外側にある水に向けて確実に通過させることができると共に、容器内の水が容器の内側から外側にあるロータンク内や貯留槽内の水へ浸透することを防止できる。これにより、容器内からロータンク内や貯留槽内の水に入り込む水酸化マグネシウムの量を従来よりも大幅に低減させることができる。その結果、ロータンク内や貯留槽内の水の水質がアルカリ化しない程度にｐＨの上昇を抑制しつつ、ロータンク内や貯留槽内の水に水素ガスを豊富に含ませることができる。【００２０】
また、本発明の他の水素水生成容器では、瓶本体に上記水素水生成器を外部（底部）に直接取り付け、水素ガスの含有を所望する瓶本体内の溶液を常時、水素ガスを追加させながら水質をアルカリ化させずに維持できる。このため化粧水等アルカリ化が不都合な液体を簡易な専用容器で水素ガスを含有させて提供することができる。【００２１】
また、本発明の他の水素水生成容器では、前記マグネシウム粒を前記水と共に注入可能な中空部と、前記中空部と外部とを連通する複数の窓と、を有する棒状のケース体を備え、少なくとも、前記窓には、前記通気性不浸透性材料からなるフィルムがインサ−ト成形によって貼付されているので、ユーザ自らが準備した水を中空部に注入することで、前記マグネシウム粒が前記水との化学反応を開始し、化学反応によって発生した水素ガスは、各窓を介して中空部から水素水生成容器の外部に向けて放出される。つまり、ユーザ自らが水素水生成容器の使用開始時期を決定できる。これにより、水素水生成容器の製品としての耐用期間を延ばすことができる。
【図面の簡単な説明】
【００２２】
【図１】本発明に係る水素水生成器を適用したトイレ装置の一例を示した概略構成図である。
【図２】容器の形態的態様を示した説明図である。
【図３】他の本発明である水素水生成容器を示している。（ａ）は、本水素水生成容器の中心線Ｘ−Ｘの左側には側面図、中心線Ｘ―Ｘの右側にはその断面図が示され、（ｂ）は、本水素水生成容器における水素ガスの発生とアルカリ化させずに水素水を生成する機能を模式化した略図である。
【図４】他の本発明である水素水生成容器を示している。（ａ）は、本水素水生成容器の斜視図が示され、（ｂ）は、本水素水生成容器の正面図が示される。
【図５】（ａ）は、本水素水生成容器における二つの蓋部材のうちの一方のみに窓を形成した状態を示す図であって、図４（ｂ）に示すＡ−Ａ線の切断部端面拡大図が示される。（ｂ）は、本水素水生成容器の変形例であって、二つの蓋部材の双方に窓を形成した状態を示す図である。
【図６】（ａ）は、本水素水生成容器における封止部材を示す側断面図である。（ｂ）は、本水素水生成容器における封止部材の変形例を示す側断面図である。
【図７】（ａ）は、本水素水生成容器における封止部材の別の変形例を示す側断面図である。（ｂ）は、別の変形例に係る封止部材の針状突起によって水袋が突き破られた状態を示す説明図である。
【発明を実施するための形態】
【００２３】
本発明の水素水生成器の一実施形態について説明する。
【００２４】
図１は、本発明に係る水素水生成器を適用したトイレ装置の一例を示した概略構成図である。図１に示したトイレ装置１は、ロータンク２を備えた従来タイプのものである。ロータンク２は、その内部にオーバーフロー管３を始め、フロートバルブ４、鎖５、ボールタップ６、手洗用給水管７を収容しており、水８が貯留されている。オーバーフロー管３は、ロータンク２内の水８が所定水位を超えた際に洗浄管９を通して便器（図示せず）に流出させるために設けられている。オーバーフロー管３の基部３ａは、貫通孔（図示せず）を通して洗浄管９と連通可能に位置決めされてロータンク２の底部に取り付け固定されている。上記基部３ａは、ロータンク２内に開口している開口部（図示せず）を有し、この開口部には上記フロートバルブ４が配設されている。フロートバルブ４は、ハンドルセット１０のロータンク２内部に収容されている部位から垂下している鎖５を介して、上記ハンドルセット１０と連係しており、ハンドルセット１０の手動操作に起因して上記開口部を開閉する。
【００２５】
ボールタップ６は、給水管１１を通して給水源（図示せず）から給水される水の、ロータンク２及び手洗用給水管７への供給を断続するために設けられたもので、その基部６ａは、上記給水管１１及び手洗用給水管７と夫々接続されている。ボールタップ６は、ロータンク２内の水位が所定高さに達している場合には、ロータンク２及び手洗用給水管７への給水を断ち、ロータンク２内の水位が所定高さに達していない場合には、上記給水を行うべくロータンク２の水位に応じて上下方向に揺動可能となっている。洗浄管９は、フロートバルブ４が上記開口部を開成することによってロータンク２内から流出する水８を便器に案内する。
【００２６】
ハンドルセット１０が右（あるいは左）に回動操作されると、鎖５を介してハンドルセット１０と連係しているフロートバルブ４がオーバーフロー管３の基部３ａを開口する。この開口により、ロータンク２に貯留されていた水８が洗浄管９を介して便器（図示せず）に流入し、便器内の排泄物が便器内から公共下水道管あるいは浄化槽（いずれも図示しない）へと排出されることになる。
【００２７】
ロータンク２内には、水素水生成器２０が投入されている。図１に示すように、水素水生成器２０は、水８の水面よりも低い位置に配置されている。水素水生成器２０は、容器２１を有している。容器２１内には、水２２と反応して水素ガスを発生可能なボール状のマグネシウム粒２３が、前記水２２と共に封入されている。図１中の符号３０は、ロータンク２の内壁面及びオーバーフロー管３の外周面に固定された仕切り板を示しており、この仕切り板３０によって水素水生成器２０の浮き上がりが規制されている。これにより、水素水生成器２０を水８の中に沈めた状態で維持することが可能となっている。
【００２８】
水素水生成器２０は、水８の水面よりも低い位置に配置されてさえいれば、ロータンク２内のどのような位置に配置してもよいが、ボール状のマグネシウム粒２３を撹拌できる位置に配置されることが好ましい。これにより、マグネシウム粒２３同士が擦れ合うことで、マグネシウム粒２３の表面に付着している水酸化マグネシウムの白色沈殿（白濁）を剥ぎ取り易くすることができる。その結果、水２２とマグネシウム粒２３との接触頻度が高まり、水２２とマグネシウム粒２３との化学反応を促進することができる。
【００２９】
容器２１は、通気性不浸透性材料を用いて構成される。本発明でいう「通気性不浸透性材料」とは、水素ガスを内側から外側に向けて通過させると共に（通気性）、水を内側から外側に浸透させない（不浸透性）という機能を有するものである。通気性不浸透性材料としては、（Ａ）ポリ塩化ビニリデン、（Ｂ）ポリ塩化ビニル、及び、（Ｃ）ポリアクリロニトリルからなる群から選択される少なくとも１種の熱可塑性樹脂を使用することができる。従って、容器２１は、上記（Ａ）〜（Ｃ）のうち、少なくとも１種の熱可塑性樹脂を成形して得たフィルムを用いて構成できる。
【００３０】
容器２１の形態的態様としては、例えば、２枚のフィルムを、それらの間の内部側に内容物（水２２及びマグネシウム粒２３）が充填される空間が形成されるような形状に成形し、それらを重ね合わせたレトルトパウチ型容器の態様のものを挙げることができる（例えば図２（ａ）参照）。また例えば、マグネシウム粒２３と共に水２２が注入された受皿状の構造体の開口部を上記フィルムでラッピングした態様のものを挙げることができる（例えば図２（ｃ）参照）。
【００３１】
この他にも、上記フィルムで風船構造体を構成し、風船構造体の内部空間に、水２２及びマグネシウム粒２３を充填した態様のものを挙げることができる。この風船構造体には、その内部へ向かう方向にだけ空気が流れる逆止弁を設けることも可能である（例えば図２（ｂ）参照）。この逆止弁は、ビニル製のストローを用いて構成可能であって、風船構造体に外側から空気を入れるときには、ストローが膨らんで空気が通り、それ以外のときは、ストローが凹んで、空気が通らなくなる構造のものを採用できる。なお、上記風船構造体の内部空間には、水素ガスを豊富に含んだ水を摂取させるための花や観葉植物などを保存可能である。
【００３２】
上記構成の水素水生成器２０によれば、容器２１が通気性不浸透性材料を用いて構成されるので、水素水生成器２０をロータンク２内に投入した状態で、水素ガスを容器２１の内側から外側にある水８に向けて確実に通過させることができると共に、容器２１内の水２２が容器２１の内側から外側にある水８へ浸透することを防止できる。これにより、容器２１内から水８に入り込む水酸化マグネシウムの量を従来よりも大幅に低減させることができる。その結果、水８の水質がアルカリ化しない程度にｐＨの上昇を抑制しつつ、水素ガスを豊富に含んだ水８を生成することができる。
【００３３】
次に、図３を参照すれば他の本発明である水素水生成容器を示している。図３（ａ）は、水素水生成容器３０の側面図を示しており、詳細にはその中心線Ｘ−Ｘの左側には側面図、中心線Ｘ―Ｘの右側にはその断面図が示されている。また、図３（ｂ）には、水素水生成容器３０における水素ガスの発生とアルカリ化させずに水素水を生成する機能を模式化した略図である。
【００３４】
また、水素水生成容器３０は、概ねキャップ３１と、瓶本体３２と、連結部３３と、水素生成器３６とで構成されている。瓶本体３２はその内部に水素ガスの含有を所望する液体（溶液）としての化粧水やシャンプー、リンスを貯留させている。なお、瓶本体３２の底部は後述するＯリング３４や通気性不浸透性材料３５により密封されている。瓶本体３２の上部はキャップ３１と連結するための外周にネジ山３２ａが設けられている。一方、キャップ３１は下方に開放されてその内壁周囲にネジ溝３１ａが設けられており、Ｘ―Ｘ周りに回転させることで瓶本体３２とネジ結合する。
【００３５】
瓶本体３２の底部は水素生成器３６と連結するための連結部３３が設けられている。連結部３３は概ね中空環状の部材であって瓶本体３２に堅く嵌合固定される。連結部３３は瓶本体３２を水素生成器３６に連結するためのものであり、瓶本体３２に一体に形成される。この実施形態では連結部３３は製造工程の便宜上、瓶本体３２と別部材として構成されているが連結部３３は瓶本体３２と一体に成形されても良い。また、連結部３３の下部も下方に開放されており、その内壁周囲にネジ溝３３ａが形成されている。
【００３６】
水素生成器３６は図１〜図２で示してきた水素水生成器２０と同様の機能を有する。水素生成器３６は図２（ｃ）と同様に上方に開口した容器であり、内部にマグネシウム粒２３と水２２とが入っている。これが上述する式（１）に示す反応をすることにより水素ガスのみを蒸発させる（図３（ｂ）矢印）。水素生成器３６の上部開口は通気性不浸透性材料３４で覆われており、その外周はネジ山が設けられている。この水素生成器３６はＯリング３４を介して連結部３３の下方のネジ溝３３ａとネジ連結される。したがって、水素生成器３６はＯリング３４や通気性不浸透性材料３４の性質と相俟って水分に対しては密封である。一方、上述するように通気性不浸透性材料３３は水素ガスが通過するため瓶本体３２内の液体に常時水素ガスを提供することができる。
【００３７】
次に、図４〜図６を参照すれば他の本発明である水素水生成容器を示している。図４（ａ）には、本水素水生成容器の斜視図が示され、図４（ｂ）には、本水素水生成容器の正面図が示される。図５（ａ）には、本水素水生成容器における二つの蓋部材のうちの一方のみに窓を形成した状態が示される。図６（ａ）には、本水素水生成容器における封止部材の側断面図が示される。
【００３８】
また、水素水生成容器４０は、開口部をそれぞれ有する箱状の第１蓋部材４１及び第２蓋部材４２の外周部を相互に重ね合わせるとともに、その内部に、マグネシウム粒を水と共に注入可能な中空部４３を有する棒状（スティック状）のケース体４４を備える。該ケース体４４は、第１蓋部材４１及び第２蓋部材４２の双方において、中空部４３と外部とを連通する複数の矩形状の窓４５を有している（図５（ａ）参照）。これらの窓４５には、通気性不浸透性材料からなるフィルム（図示せず）がインサート成形によって貼付されている。ここでのフィルムは、窓４５を覆うことさえ出来れば良く、必ずしも窓４５ごとに貼付される必要はない。例えば、ケース体４４の長手方向に沿って所定間隔を隔てて形成された窓群４５Ａ〜４５Ｃごとに貼付されていても良く、また例えば、ケース体４４の長手方向に沿う全長に亘って貼付されていても良い。
【００３９】
ケース体４４は、水素水生成容器４０の長手方向の一端部に形成され、前記中空部４３と連通し、該中空部４３へ水を注入可能な注入部４６を有するものであって、水素水生成容器４０は、該注入部４６を封止可能な封止部材４７を更に備える。この封止部材４７は、水素水生成容器４０の一端部と着脱自在なキャップ部材などを用いて構成可能である。このような構成によれば、該中空部４３内に予めマグネシウム粒を投入しておくと共に、ユーザ自らがキャップ部材を取り外し、準備した水を中空部４３に注入することで、前記マグネシウム粒が、上記化学式（１）に従って水との化学反応を開始し、化学反応によって発生した水素ガスは、各窓４５を介して中空部４３から水素水生成容器４０の外部に向けて放出される。これにより、ユーザ自らが水素水生成容器４０の使用開始時期、つまりは、水素ガスの発生時期を決定できる。その結果、水素水生成容器４０の製品としての耐用期間を従来よりも延ばすことができる。なお、中空部４３内への水の注入は、例えばスポイトのように、水素水生成容器４０の仕様に基づいて適量の水を吸い上げて、別の容器等に移動させるときに使用する道具を用いて実現可能である。また、中空部４３には、必要に応じて適宜、各窓４５にゴミや埃が付着したり、目詰まりを引き起こしたりすることを防ぐためのフィルターを設けることができる。
【００４０】
以上、本発明の実施形態について図面に基づいて説明したが、具体的な構成は、これらの実施形態に限定されるものではないと考えられるべきである。本発明の範囲は、上記した実施形態の説明ではなく特許請求の範囲によって示され、さらに特許請求の範囲と均等の意味および範囲内でのすべての変更が含まれる。
【００４１】
なお、上記の水素水生成容器４０では、ケース体４４が、第１蓋部材４１及び第２蓋部材４２の双方において複数の窓４５を有する例について述べたが（図５（ａ）参照）、本発明はこれに限定されず、ケース体４４が、第１蓋部材４１のみにおいて複数の窓４５を有するものでも良い（図５（ｂ）参照）。
【００４２】
なお、上記の水素水生成容器４０では、注入部４６を封止可能なキャップ状の封止部材４７を有する例について述べたが（図６(ａ）参照）、封止部材４７がその外周面において雄ねじ部４７ａを有し、注入部４６がその内周面において雌ねじ部４６ａを有し（図６（ｂ）参照）、雄ねじ部４７ａ及び雌ねじ部４６ａの螺合によって、封止部材４７で注入部４６を封止しても良い。更に、封止部材４７がその一端部において、例えば１０円玉や１００円玉などのコインを用いた簡単な作業で封止部材４７を回動するための凹部４７ｂを有していても良い（図６（ｂ）参照）。
【００４３】
また、図６（ｂ）に示した水素水生成容器にさらに変形を加えて、封止部材４７が、その先端に突出した針状の突起（針状突起）４７ｃを備え（図７（ａ）参照）、水素水生成容器４０の中空部４３に予め収容された水袋（水が封入された袋）４８を、突起（針状突起）４７ｃが突き破ることによって、水袋４８内の水を中空部４３内に注入可能なものであっても良い（図７（ｂ）参照）。ここで、図７（ｂ）は、雄ねじ部４７ａ及び雌ねじ部４６ａの螺合によって、封止部材４７による注入部４６の封止が完了した状態を示す。この状態では、突き破られた水袋４８の内部から図７（ｂ）中の矢印Ａで示す方向に水が放出され、中空部４３内に予め収容されたマグネシウム粒と、上記化学式（１）に従って化学反応する。そして、化学反応によって発生した水素ガスは、各窓４５を介して中空部４３から水素水生成容器の外部に向けて放出される。なお、水袋４８の内部には、中空部４３内に予め収容されたマグネシウム粒の量に応じて、モル計算によって定量された量の水が予め貯留されている。ここで、水袋４８は、針状突起４７ｃによって突き破ることができる程度に中空部４３内で固定されていることが好ましい。また、水袋４８の素材は、針状突起４７ｃによって突き破ることができる程度の硬さを有するものであって、中空部４３内に水を放出するための通路を形成可能な脆さを有するものであれば、どのような材料であっても良い。
【００４４】
なお、上記の水素水生成器２０及び水素生成器３６では、通気性不浸透性材料を用いて構成された容器内にマグネシウム粒及び水が封入されている例について述べたが、本発明はこれに限定されず、通気性不浸透性材料を用いて構成された容器内に、ゲル状態となった保水剤が前記マグネシウム粒と共に封入されていても良い。
【産業上の利用可能性】
【００４５】
本発明の水素水生成器は、例えば、トイレ装置のロータンク内に貯留されている水や、ウォーターサーバーの貯留槽に貯留されている浄化水に水素を含有させて、水素水を生成する場合において好適に利用することができる。【００４６】
また、他の本発明の水素水生成容器は、化粧水やシャンプー等に水素ガスを含有させる専用の容器として使用することができる。
【符号の説明】
【００４７】
２０    水素水生成器
２１    容器
２２    水
２３    マグネシウム粒
３０、４０    水素水生成容器
３１    キャップ
３１ａ、３３ａ    ネジ溝
３２    瓶本体
３２ａ    ネジ山
３３    連結部
３４    Ｏリング
３６    水素生成器
４１    第１蓋部材
４２    第２蓋部材
４３    中空部
４４    ケース体
４５    窓
４５Ａ〜４５Ｃ    窓群
４６    注入部
４６ａ    雌ねじ部
４７    封止部材
４７ａ    雄ねじ部
４７ｂ    凹部
４７ｃ    針状突起
４８    水袋
【図１】
2015011846.tif 000003
【図２】
2015011846.tif 000004
【図３】
2015011846.tif 000005
【図４】
2015011846.tif 000006
【図５】
2015011846.tif 000007
【図６】
2015011846.tif 000008
【図７】
2015011846.tif 000009
【国際調査報告】
2015011846.tif 000010
2015011846.tif 000011
2015011846.tif 000012
2015011846.tif 000013